(57)【要約】【課題】左右一対の肩ベルトがバッグ本体に取り付けられた背負いバッグに関し、特に、バッグ本体に収納される荷物の重量が大きい場合でも、身体にかかる負担を軽減する負荷分散機能を備えた背負いバッグを提供する。【解決手段】荷物を収容するバッグ本体と、バッグ本体の背中に接する側面に取り付けられる左右一対の肩ベルトと、前記一対の肩ベルトの上側に設けられた一対の連結具とからなる負荷分散型背負いバッグであって、前記バッグ本体の短手の側周面には、前記バッグ本体を短手方向に伸縮可能にするファスナを有しており、前記バッグ本体の上側周面の、前記ファスナの内部であって当該ファスナが開いた状態における背中側から遠い側の務歯の近傍において、前記肩ベルトに設けられた一対の連結具と連結可能な一対の連結具が設けられていることを特徴とする負荷分散型背負いバッグ。【選択図】図１
2019103548.tif 000002
【特許請求の範囲】
【請求項１】
荷物を収容するバッグ本体と、バッグ本体の背中に接する側面に取り付けられる左右一対の肩ベルトと、前記一対の肩ベルトの上側に設けられた一対の連結具とからなる負荷分散型背負いバッグであって、
前記バッグ本体の短手の側周面には、前記バッグ本体を短手方向に伸縮可能にするファスナを有しており、
前記バッグ本体の上側周面の、前記ファスナの内部であって当該ファスナが開いた状態における背中側から遠い側の務歯の近傍において、前記肩ベルトに設けられた一対の連結具と連結可能な一対の連結具が設けられていることを特徴とする負荷分散型背負いバッグ。
【請求項２】
前記一対の連結具は、前記ファスナが閉じた状態では、当該ファスナ内部に収容されることを特徴とする請求項１に記載の負荷分散型背負いバッグ。
【請求項３】
荷物を収容するバッグ本体と、バッグ本体の背中に接する側面に取り付けられる左右一対の肩ベルトと、前記一対の肩ベルトの上側に設けられた一対の連結具とからなる負荷分散型背負いバッグであって、
前記バッグ本体の短手の側周面には、前記バッグ本体を短手方向に伸縮可能にするファスナを有しており、
前記バッグ本体の上側周面の、前記ファスナの外部であって、背中側から遠い側の務歯の近傍において、前記肩ベルトに設けられた一対の連結具と連結可能な一対の連結具が設けられていることを特徴とする負荷分散型背負いバッグ。
【請求項４】
前記バッグ本体の背中に接する側面の上部において、前記肩ベルトに設けられた一対の連結具と連結可能な一対の連結具が設けられていることを特徴とする請求項１から３のいずれか１項に記載の負荷分散型背負いバッグ。
【請求項５】
前記バッグ本体の背中に接する側面の上部において、収納用ファスナを有しており、
前記左右一対の肩ベルトの下側の端は、前記バッグ本体から離脱可能となっており、
前記左右一対の肩ベルトの上側の端は、前記収納用ファスナの内部に接続されており、
前記左右一対の肩ベルトを前記収納用ファスナの内部に収容可能であることを特徴とする請求項１から４のいずれか１項に記載の負荷分散型背負いバッグ。
【請求項６】
前記バッグ本体の背中に接する側面の上部に設けられる一対の連結具は、前記収納用ファスナの内部に接続されており、当該収納用ファスナの内部に収容可能であることを特徴とする請求項５に記載の負荷分散型背負いバッグ。
【請求項７】
前記一対の肩ベルトの上側に設けられた一対の連結具は、長さ調整可能なベルトを介して肩ベルトに接続されていることを特徴とする請求項１から６のいずれか１項に記載の負荷分散型背負いバッグ。
【発明の詳細な説明】
【技術分野】
【０００１】
本発明は、左右一対のハーネス（肩ベルト）がバッグ本体に取り付けられた背負いバッグに関し、特に、バッグ本体に収納される荷物の重量が大きい場合でも、身体にかかる負担を軽減する負荷分散機能を備えた背負いバッグに関するものである。
【背景技術】
【０００２】
重量が大きく容積がかさばる荷物を人が担って運搬するための道具として、背負いカバン、背負いバッグ、リュックサックといった袋体が広く利用されている。これらは、バッグ本体に取り付けた左右一対のハーネス（肩ベルト）を介して使用者の背中に背負われるようになっている。長距離旅行や、ハイキング、登山、通学、通勤などの用途で利用されるが、身体への負担を軽減するために、様々な研究開発が行われている。
【０００３】
一般的にハーネス（肩ベルト）付き背負いバッグの身体への負担軽減の観点からは、バッグ本体の荷重が肩から背中に均一にかかるのが望ましい。また、背中とバッグ本体との間に隙間がある状態では、肩と腰のみにバッグの荷重がかかるため身体への負担が大きく、バッグ本体が背中に密着するよう設計するのが望ましい。
【０００４】
そのような設計の例として、特許文献１には、袋本体の上部背中側に接続された上ウェビングを設け、上ウェビングの一部を引くことにより、袋本体を使用者の身体側に引き寄せる動作ができる構造の背負いバッグが提案されている。
また、特許文献２には、下端をハーネスに固定され、上端を収納部本体の上部背中側に設けられた連結手段に固定された調整ベルトを有し、連結手段に一体化された調節機構によって調整ベルトの長さを調整することで、収納部本体を使用者の身体側に引き寄せる動作ができる構造の背負いバッグが提案されている。
【先行技術文献】
【特許文献】
【０００５】
【特許文献１】特開２０１６−２０２４８９号公報（要約、図２等）
【特許文献２】国際公開第ＷＯ２００６／０９０５４２号パンフレット（図１、図８等）
【発明の開示】
【発明が解決しようとする課題】
【０００６】
ところで、背負いバッグの中には、その容積を荷物の容量に応じて変動しうるものがある。図７及び図８は、そのような構造を有する背負いバッグの概要を示す図である。
図７に示す背負いバッグ３００は、バッグ本体３１０がおよそ直方体の形状をしたものである。バッグ本体３１０の背中側面に左右一対のハーネス３２０が取り付けられており、各ハーネス上に調整ベルト３３０が設けられており、各調整ベルトの上側の端は連結具３４０が形成されており、バッグ本体の上部背中側に設けられた一対の連結具３５０に連結可能となっている。尚、図中では特許文献２に示されているのと同様のソケット型連結具を表しているが、これに限られず、必要に応じて様々な種類、構造、材質の連結具を利用することが可能である。
【０００７】
また、図７に示す背負いバッグは、バッグ本体の短手の側周面に閉じた状態のファスナ３６０を有している。
図８に示す背負いバッグ３００は、上記のファスナ３６０が開いた状態のものである。このように、バッグ本体３１０の短手の側周面に設けたファスナが開かれることで、側周面積が拡張してバッグ本体３１０の容積が拡大し、より多くの荷物を収容することが可能となる（エキスパンドタイプ）。
【０００８】
ここで、このエキスパンドタイプの背負いバッグ３００におけるハーネス上に設けられた調整ベルト３３０の機能について説明する。
図７に示すファスナ３６０が閉じた状態では、調整ベルト３３０の先端の連結具３４０をバッグ本体３１０の連結具３５０に連結することで、使用者が背負いバッグ３００を背負った際にバッグ本体３１０が背中に密着するよう設計されている（特許文献２の図８参照）。
一方、図８に示すファスナ３６０が開いた状態（多くの荷物が収容された状態）の背負いバッグを使用者が背負った際には、図９に示すように、ハーネス３２０及び調整ベルト３３０は後方に引っ張られ、バッグ本体３１０が後方に傾倒し、バッグ本体３１０と背中との間に隙間ができてしまう。荷物の荷重重心が背中から後方に離れる程、この傾向は顕著となる。
【０００９】
本発明は、このような実情に鑑みてなされたものであり、エキスパンドタイプの背負いバッグにおいて、バッグ本体が拡張して多くの荷物が収容された状態であっても、バッグ本体が背中に密着できるように設計された背負いバッグを提供しようとするものである。
【課題を解決するための手段】
【００１０】
上記解決課題に鑑みて鋭意研究の結果、本発明者は、エキスパンドタイプの背負いバッグの上側面において、伸縮したファスナの背中から遠い方の務歯の付近にハーネス（肩ベルト）に設けた連結具と連結する連結具を設けることにより、背負いバッグの上側面を背中に近づく方向に引き寄せて、バッグ本体を背中に密着させた状態を保つことができることに想到し、以下に示す本発明を成すに至った。
【００１１】
すなわち、本発明は、荷物を収容するバッグ本体と、バッグ本体の背中に接する側面に取り付けられる左右一対の肩ベルトと、前記一対の肩ベルトの上側に設けられた一対の連結具とからなる負荷分散型背負いバッグであって、前記バッグ本体の短手の側周面には、前記バッグ本体を短手方向に伸縮可能にするファスナを有しており、前記バッグ本体の上側周面の、前記ファスナの内部であって当該ファスナが開いた状態における背中側から遠い側の務歯の近傍において、前記肩ベルトに設けられた一対の連結具と連結可能な一対の連結具が設けられていることを特徴とする負荷分散型背負いバッグを提供するものである。
【００１２】
本発明の負荷分散型背負いバッグにおいて、前記一対の連結具は、前記ファスナが閉じた状態では、当該ファスナ内部に収容されることを特徴とする。
【００１３】
また、本発明は、荷物を収容するバッグ本体と、バッグ本体の背中に接する側面に取り付けられる左右一対の肩ベルトと、前記一対の肩ベルトの上側に設けられた一対の連結具とからなる負荷分散型背負いバッグであって、前記バッグ本体の短手の側周面には、前記バッグ本体を短手方向に伸縮可能にするファスナを有しており、前記バッグ本体の上側周面の、前記ファスナの外部であって、背中側から遠い側の務歯の近傍において、前記肩ベルトに設けられた一対の連結具と連結可能な一対の連結具が設けられていることを特徴とする負荷分散型背負いバッグを提供するものである。
【００１４】
本発明の負荷分散型背負いバッグにおいて、前記バッグ本体の背中に接する側面の上部において、前記肩ベルトに設けられた一対の連結具と連結可能な一対の連結具が設けられていることを特徴とする。
【００１５】
本発明の負荷分散型背負いバッグにおいて、前記バッグ本体の背中に接する側面の上部において、収納用ファスナを有しており、前記左右一対の肩ベルトの下側の端は、前記バッグ本体から離脱可能となっており、前記左右一対の肩ベルトの上側の端は、前記収納用ファスナの内部に接続されており、前記左右一対の肩ベルトを前記収納用ファスナの内部に収容可能であることを特徴とする。
【００１６】
本発明の負荷分散型背負いバッグにおいて、前記バッグ本体の背中に接する側面の上部に設けられる一対の連結具は、前記収納用ファスナの内部に接続されており、当該収納用ファスナの内部に収容可能であることを特徴とする。
【００１７】
本発明の負荷分散型背負いバッグにおいて、前記一対の肩ベルトの上側に設けられた一対の連結具は、長さ調整可能なベルトを介して肩ベルトに接続されていることを特徴とする。
【発明の効果】
【００１８】
以上、説明したように、本発明の負荷分散型背負いバッグは、伸縮したファスナの背中から遠い方の務歯の付近において、ハーネス（肩ベルト）に設けた連結具と連結する連結具を設けることにより、背負いバッグの上側面を背中に近づく方向に引き寄せて、バッグ本体を背中に密着させた状態を保つことができる構造を有する。
したがって、エキスパンドタイプの背負いバッグにおいて、バッグ本体が拡張して多くの荷物が収容された状態であっても、バッグ本体が背中に密着することで使用者の背中にかかる負荷分散され、負担が軽減されるという顕著な効果が得られる。
【図面の簡単な説明】
【００１９】
【図１】本発明の負荷分散型背負いバッグの概要を示す図である。
【図２】図１に示す本発明の負荷分散型背負いバッグの使用状態を示す図である。
【図３】本発明の負荷分散型背負いバッグの変形例の概要を示す図である。
【図４】本発明の負荷分散型背負いバッグにおける負荷分散の効果を測定する実験における、圧力の測定箇所を示す図である。
【図５】本発明の負荷分散型背負いバッグにおける負荷分散の効果を測定する実験における、１度目の測定結果を示すグラフである。
【図６】本発明の負荷分散型背負いバッグにおける負荷分散の効果を測定する実験における、２度目の測定結果を示すグラフである。
【図７】その容積を荷物の容量に応じて変動可能な構造を有する背負いバッグの概要を示す図である。バッグ本体の短手の側周面に設けたファスナが閉じた状態を示す図である。
【図８】その容積を荷物の容量に応じて変動可能な構造を有する背負いバッグの概要を示す図である。バッグ本体の短手の側周面に設けたファスナが開いた状態を示す図である。
【図９】図８に示すファスナが開いた状態（多くの荷物が収容された状態）の背負いバッグを使用者が背負った際の状態を示す図である。
【発明を実施するための最良の形態】
【００２０】
以下、添付図面を参照しながら、本発明の負荷分散型背負いバッグを実施するための最良の形態を詳細に説明する。図１〜図９は、本発明の実施の形態を例示する図であり、これらの図において、同一の符号を付した部分は同一物を表わし、基本的な構成及び動作は同様であるものとする。
【００２１】
負荷分散型背負いバッグの構造及び機能
図１は、本発明の負荷分散型背負いバッグの概要を示す図である。
図１に示す負荷分散型背負いバッグ１００は、およそ直方体の形状をしたバッグ本体１１０、バッグ本体１１０の背中に接する側面に設けられた左右一対のハーネス（肩ベルト）１２０、各ハーネスの上側に設けられた一対の連結具１４０、バッグ本体１１０の上部背中側に設けられた一対の連結具１５０、バッグ本体１１０の側周面に設けられたファスナ１６０、バッグ本体１１０の背中に接する側面の上部に設けられたハーネス収納用ファスナ１７０、ファスナ１６０の内部に設けられた一対の連結具１８０を有している。
【００２２】
図１では、バッグ本体１１０の側周面のファスナ１６０は開いた状態である。
一対の連結具１８０は、バッグ本体１１０の上側周面のファスナ１６０の開いた務歯の間であって、背中側から遠い側の務歯の近傍に設けられている。ファスナ１６０を閉じた際には、一対の連結具１８０が閉じたファスナ１６０の内部に収納されるようになっている。
ハーネス１２０の上側の付け根と連結具１５０の付け根は、ハーネス収納用ファスナ１７０の内部にあり、ハーネス１２０の下側の付け根をバッグ本体１１０から取り外すことで、ハーネス１２０及び連結具１５０をハーネス収納用ファスナ１７０の内部に収納してファスナを閉じることができるようになっている。バッグ本体１１０の側周面に取っ手（図示せず）を付ければ、手提げ鞄として利用することができる。
【００２３】
各ハーネスの上側に設けられた一対の連結具１４０は、ベルトを介して各ハーネスに接続されており、ベルトの長さを変えることで、各ハーネスと連結具１４０との接続距離を調整することができる（図中では最短距離となっている）。連結具１４０は、バッグ本体１１０の上部背中側に設けられた一対の連結具１５０、並びにファスナ１６０の内部に設けられた一対の連結具１８０と連結可能となっている。尚、図中では特許文献２に示されているのと同様のソケット型連結具を表しているが、これに限られず、必要に応じて様々な種類、構造、材質の連結具（例えば、ボタン、金具、面ファスナなど）を利用することが可能である。
その他の構成部分については、従来技術にかかるものと同様の構成及び機能を有するものであるので、説明を省略する。
【００２４】
図２は、図１に示す本発明の負荷分散型背負いバッグの使用状態を示す図である。
図示するように、負荷分散型背負いバッグ１００は、バッグ本体１１０の側周面のファスナ１６０は開いた状態で、使用者の背中に背負われている。各ハーネス１２０上の連結具１４０は、各ハーネスとの接続距離が伸びた状態で、それぞれ一対の連結具１８０と連結されている。
この状態において、負荷分散型背負いバッグ１００の上側面の比較的背中から遠い部分が連結具１８０を介して前方に引き寄せられるため、バッグ本体１１０の上部は背中に密着させた状態を保つことができるようになっている。
【００２５】
このように、本発明の負荷分散型背負いバッグでは、バッグ本体１１０のファスナ１６０を開き、バッグ本体１１０の容積が拡大し重量が大きくなった状態でも、図９に示すようなバッグ本体１１０が後方に傾倒した状態とはならず、バッグ本体１１０が背中に密着することで使用者の背中にかかる負荷分散され、負担が軽減されるという顕著な効果が得られる。
【００２６】
変形例
図３は、本発明の負荷分散型背負いバッグの変形例の概要を示す図である。
図３において、変形例にかかる負荷分散型背負いバッグ２００は、バッグ本体２１０の上側周面において、図１に示す一対の連結具１８０を備えておらず、代わりに、一対の連結具２８０を備えている。その他の構成部分については、図１に示すものと同様である。
一対の連結具２８０は、バッグ本体２１０の上側周面のファスナ１６０の外部であって、背中側から遠い側の務歯の近傍に設けられている。
この負荷分散型背負いバッグ２００でも、図２に示すのと同様に、各ハーネス１２０上の連結具１４０をそれぞれ一対の連結具２８０と連結させた状態で使用して、同様の効果を得ることが可能である。
【実施例１】
【００２７】
本発明の負荷分散型背負いバッグにおける負荷分散の効果を測定すべく以下のような実験を行った。
５名の成人男性を被験者として、本発明の負荷分散型背負いバッグ、及び従来型の背負いバッグ２種類（出願人の従来製品及び他社の従来製品）を使用して比較実験とした。各バッグを背負った際の肩、背中、腰にかかる圧力（衣服圧）を測定した。
図４に示すように、圧力の測定箇所は、肩上部左（ハーネスがあたる部分でベルト幅の中心位置）、肩上部右（同前）、背中中央部（肩胛骨付近で突出している箇所）、腰部分（バッグ下部が当たる箇所）である。
測定機器は、株式会社エイエムアイ・テクノ製のエアパック式衣服圧測定器AMI3037-10を使用した。
測定方法は、バッグを背負って立位安静の状態で１５秒間静止した状態で測定を行った。約１ヶ月の時間間隔を置いて２度の測定を行った。
【００２８】
図５は、１度目の測定結果を示すグラフである。
図６は、２度目の測定結果を示すグラフである。
各グラフ中、衣服圧を縦軸に取り、左から肩上部左、肩上部右、肩合計（全被験者の平均グラフのみ）、背中中央部、腰部分（リュック下部と表記）を表している。３本並んだ縦棒は左が本発明の負荷分散型背負いバッグを表し、他の２本は従来型の背負いバッグを表している。
このグラフに示すように、本発明の負荷分散型背負いバッグを背負った状態では、肩上部左右、腰部分にかかる衣服圧が従来型の背負いバッグを背負った状態に比べて、顕著に低い値となっている。
一方、本発明の負荷分散型背負いバッグを背負った状態では、背中中央部にかかる衣服圧が従来型の背負いバッグを背負った状態に比べて、高い値となっている。
このことから、本発明の負荷分散型背負いバッグについては、大きな荷重がかかる肩上部左右、腰部分においては負荷が顕著に軽減される一方、荷重がかかりにくい背中中央部においては負荷が大きくなっている。すなわち、肩上部左右、背中中央部、腰部分にわたり負荷がバランスよく分散されており、使用者の身体にかかる負担が効果的に軽減されていることが実証された。
【００２９】
以上、本発明の負荷分散型背負いバッグについて、具体的な実施の形態を示して説明したが、本発明はこれらに限定されるものではない。当業者であれば、本発明の要旨を逸脱しない範囲内において、上記各実施形態における各種ベルト、連結具、ファスナ、ハーネス収納用ファスナなどの構成及び機能に様々な変更・改良を加えることが可能である。
【産業上の利用可能性】
【００３０】
本発明の負荷分散型背負いバッグは、背負いカバン、背負いバッグ、リュックサック等の製造産業において利用することができるものである。
【符号の説明】
【００３１】
１００  負荷分散型背負いバッグ
１１０  バッグ本体
１２０  ハーネス（肩ベルト）
１４０  連結具
１５０  連結具
１６０  ファスナ
１７０  ハーネス収納用ファスナ
１８０  連結具
２００  負荷分散型背負いバッグ
２１０  バッグ本体
２８０  連結具
３００  背負いバッグバッグ
３１０  バッグ本体
３２０  ハーネス（肩ベルト）
３３０  調整ベルト
３４０  連結具
３５０  連結具
３６０  ファスナ
【図１】
2019103548.tif 000003
【図２】
2019103548.tif 000004
【図３】
2019103548.tif 000005
【図４】
2019103548.tif 000006
【図５】
2019103548.tif 000007
【図６】
2019103548.tif 000008
【図７】
2019103548.tif 000009
【図８】
2019103548.tif 000010
【図９】
2019103548.tif 000011
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
荷物を収容するバッグ本体と、バッグ本体の背中に接する側面に取り付けられる左右一対の肩ベルトと、前記一対の肩ベルトの上側に設けられた一対の連結具とからなる負荷分散型背負いバッグであって、
前記バッグ本体の短手の側周面には、前記バッグ本体を短手方向に伸縮可能にするファスナを有しており、
前記バッグ本体の上側周面の、前記ファスナの内部であって当該ファスナが開いた状態における背中側から遠い側の務歯の近傍において、前記肩ベルトの上側に設けられた一対の連結具と連結可能な一対の連結具が設けられていることを特徴とする負荷分散型背負いバッグ。
【請求項２】
前記一対の連結具は、前記ファスナが閉じた状態では、当該ファスナ内部に収容されることを特徴とする請求項１に記載の負荷分散型背負いバッグ。
【請求項３】
荷物を収容するバッグ本体と、バッグ本体の背中に接する側面に取り付けられる左右一対の肩ベルトと、前記一対の肩ベルトの上側に設けられた一対の連結具とからなる負荷分散型背負いバッグであって、
前記バッグ本体の短手の側周面には、前記バッグ本体を短手方向に伸縮可能にするファスナを有しており、
前記バッグ本体の上側周面の、前記ファスナの外部であって、背中側から遠い側の務歯の近傍において、前記肩ベルトの上側に設けられた一対の連結具と連結可能な一対の連結具が設けられており、
前記バッグ本体の背中に接する側面の上部において、前記肩ベルトの上側に設けられた一対の連結具と連結可能な一対の連結具が設けられていることを特徴とする負荷分散型背負いバッグ。
【請求項４】
前記バッグ本体の背中に接する側面の上部において、収納用ファスナを有しており、
前記左右一対の肩ベルトの下側の端は、前記バッグ本体から離脱可能となっており、
前記左右一対の肩ベルトの上側の端は、前記収納用ファスナの内部に接続されており、
前記左右一対の肩ベルトを前記収納用ファスナの内部に収容可能であることを特徴とする請求項１から３のいずれか１項に記載の負荷分散型背負いバッグ。
【請求項５】
前記バッグ本体の背中に接する側面の上部に設けられる一対の連結具は、前記収納用ファスナの内部に接続されており、当該収納用ファスナの内部に収容可能であることを特徴とする請求項４に記載の負荷分散型背負いバッグ。
【請求項６】
前記一対の肩ベルトの上側に設けられた一対の連結具は、長さ調整可能なベルトを介して肩ベルトに接続されていることを特徴とする請求項１から５のいずれか１項に記載の負荷分散型背負いバッグ。
【請求項７】
前記連結具は、ソケット式、ボタン式、面ファスナ式のいずれかであることを特徴とする請求項１から６のいずれか１項に記載の負荷分散型背負いバッグ。